(57)【要約】【課題】移動機の位置を高精度に測定すること。【解決手段】携帯電話機３０の位置を測定する測位サーバ４０は、基地局Ｂから送信された信号に関する第１信号情報と、他の無線信号源Ｓから送信された信号に関する第２信号情報と、位置座標とが関連付けられた測位用データを記憶する測位用データベース４１と、第１信号情報及び第２信号情報の少なくとも一方を携帯電話機３０から受信する受信部４２と、受信された信号情報とデータベース内の測位用データとを照合し、該信号情報と対応する位置座標を携帯電話機３０の現在位置として決定する測位部４３と、を備える。【選択図】図６
2010127850.tif 000002
【特許請求の範囲】
【請求項１】
移動体通信網の基地局を介して通信可能な移動機の位置を測定する測位サーバであって、
前記基地局から送信された信号に関する第１信号情報と、該基地局とは異なる他の無線信号源から送信された信号に関する第２信号情報と、位置座標とが関連付けられた測位用データを記憶するデータベースと、
前記第１信号情報及び前記第２信号情報の少なくとも一方を前記移動機から受信する受信手段と、
前記受信手段により受信された信号情報と前記データベース内の測位用データとを照合し、該信号情報と対応する位置座標を前記移動機の現在位置として決定する測位手段と、
を備える測位サーバ。
【請求項２】
前記受信手段が、まず前記第１信号情報のみを受信し、
前記測位手段が、前記受信手段により受信された第１信号情報と対応する位置座標の精度が所定の閾値未満である場合に前記移動機に対して前記第２信号情報を要求し、該第１信号情報と該要求に応じて前記移動機から送信された第２信号情報との組合せと対応する位置座標を前記移動機の現在位置として決定する、
請求項１に記載の測位サーバ。
【請求項３】
前記測位手段が、前記受信手段により受信された第１信号情報及び第２信号情報の組合せと対応する位置座標の精度が前記所定の閾値未満である場合に、前記移動機に対して追加の前記第２信号情報を要求する、
請求項２に記載の測位サーバ。
【請求項４】
前記第２信号情報が必要な前記基地局について、該基地局を識別する基地局ＩＤを記憶する記憶手段を更に備え、
前記受信手段が、まず前記第１信号情報のみを受信し、
前記測位手段が、前記受信手段により受信された第１信号情報に含まれる基地局ＩＤが前記記憶手段に記憶されている場合に前記移動機に対して前記第２信号情報を要求し、該第１信号情報と該要求に応じて前記移動機から送信された第２信号情報との組合せと対応する位置座標を前記移動機の現在位置として決定する、
請求項１に記載の測位サーバ。
【請求項５】
前記測位手段が、前記他の無線信号源の種類毎に設定された優先順位が高い順に、前記他の無線信号源に関する前記第２信号情報を要求する、
請求項２〜４のいずれか一項に記載の測位サーバ。
【請求項６】
移動体通信網の基地局を介して通信可能な移動機と、該移動機の位置を測定する測位サーバとを備える測位システムであって、
前記移動機が、
前記基地局から送信された信号に関する第１信号情報及び前記基地局とは異なる他の無線信号源から送信された信号に関する第２信号情報の少なくとも一方を前記測位サーバに送信する送信手段
を備え、
前記測位サーバが、
前記第１信号情報、前記第２信号情報及び位置座標が関連付けられた測位用データを記憶するデータベースと、
前記送信手段により送信された信号情報を受信する受信手段と、
前記受信手段により受信された信号情報と前記データベース内の測位用データとを照合し、該信号情報と対応する位置座標を前記移動機の現在位置として決定する測位手段と、
を備える、
測位システム。
【請求項７】
移動体通信網の基地局を介して通信可能な移動機の位置を測定する測位サーバにより実行される測位方法であって、
前記基地局から送信された信号に関する第１信号情報と、該基地局とは異なる他の無線信号源から送信された信号に関する第２信号情報と、位置座標とが関連付けられた測位用データをデータベースに記憶する記憶ステップと、
前記第１信号情報及び前記第２信号情報の少なくとも一方を前記移動機から受信する受信ステップと、
前記受信ステップにおいて受信された信号情報と前記データベース内の測位用データとを照合し、該信号情報と対応する位置座標を前記移動機の現在位置として決定する測位ステップと、
を含む測位方法。
【発明の詳細な説明】
【技術分野】
【０００１】
本発明は、移動機の測位を実行する測位サーバ、測位システム及び測位方法に関する。
【背景技術】
【０００２】
従来から、移動機が受信する電波の受信強度に基づいてその移動機の位置を推定する技術が知られている。例えば、下記特許文献１には、所定の基地局から受信される電波の受信強度とその電波が受信される位置との関係を示す情報をデータベースに格納しておき、そのデータベースを用いて受信強度とのマッチングを行うことで移動機の位置を推定する移動体位置検出方法が記載されている。
【特許文献１】特開平７−２３１４７３号公報
【発明の開示】
【発明が解決しようとする課題】
【０００３】
しかしながら、上記特許文献１に記載のように、一つの移動体通信網（移動体通信システム）の基地局に関するデータのみを利用すると、測位誤差が大きくなる場合がある。例えば、周辺の基地局の数が少ない場所では、位置情報と関連付けられる受信強度のパターンが特徴的でなくなるので、移動機が受信した信号の受信強度とデータベース内のデータとの照合の精度が低下してしまう。
【０００４】
本発明は、上記課題を解決するためになされたものであり、移動機の位置を高精度に測定することが可能な測位サーバ、測位システム及び測位方法を提供することを目的とする。
【課題を解決するための手段】
【０００５】
本発明の測位サーバは、移動体通信網の基地局を介して通信可能な移動機の位置を測定する測位サーバであって、基地局から送信された信号に関する第１信号情報と、該基地局とは異なる他の無線信号源から送信された信号に関する第２信号情報と、位置座標とが関連付けられた測位用データを記憶するデータベースと、第１信号情報及び第２信号情報の少なくとも一方を移動機から受信する受信手段と、受信手段により受信された信号情報とデータベース内の測位用データとを照合し、該信号情報と対応する位置座標を移動機の現在位置として決定する測位手段と、を備える。
【０００６】
また、本発明の測位システムは、移動体通信網の基地局を介して通信可能な移動機と、該移動機の位置を測定する測位サーバとを備える測位システムであって、移動機が、基地局から送信された信号に関する第１信号情報、及び基地局とは異なる他の無線信号源から送信された信号に関する第２信号情報の少なくとも一方を測位サーバに送信する送信手段を備え、測位サーバが、第１信号情報、第２信号情報及び位置座標が関連付けられた測位用データを記憶するデータベースと、送信手段により送信された信号情報を受信する受信手段と、受信手段により受信された信号情報とデータベース内の測位用データとを照合し、該信号情報と対応する位置座標を移動機の現在位置として決定する測位手段と、を備える。
【０００７】
また、本発明の測位方法は、移動体通信網の基地局を介して通信可能な移動機の位置を測定する測位サーバにより実行される測位方法であって、基地局から送信された信号に関する第１信号情報と、該基地局とは異なる他の無線信号源から送信された信号に関する第２信号情報と、位置座標とが関連付けられた測位用データをデータベースに記憶する記憶ステップと、第１信号情報及び第２信号情報の少なくとも一方を移動機から受信する受信ステップと、受信ステップにおいて受信された信号情報とデータベース内の測位用データとを照合し、該信号情報と対応する位置座標を移動機の現在位置として決定する測位ステップと、を含む。
【０００８】
このような測位サーバ、測位システム及び測位方法によれば、二種類の信号情報と位置座標とが関連付けられた測位用データが予めデータベースに記憶されている。そして、二種類の信号情報の少なくとも一方が移動機から受信され、その信号情報と測位用データとの照合により、移動機の現在位置が決定される。このように、移動体通信網だけでなくそれ以外の無線信号源（無線システム）の信号情報を用いて測位することで、移動機の位置を高精度に測定することができる。
【０００９】
本発明の測位サーバでは、受信手段が、まず第１信号情報のみを受信し、測位手段が、受信手段により受信された第１信号情報と対応する位置座標の精度が所定の閾値未満である場合に移動機に対して第２信号情報を要求し、該第１信号情報と該要求に応じて移動機から送信された第２信号情報との組合せと対応する位置座標を移動機の現在位置として決定することが好ましい。
【００１０】
この場合、第１信号情報のみでは測位の精度が確保できない場合に初めて移動機に対して第２信号情報が要求されるので、最初から移動機に対して第２信号情報を要求する場合と比較して、移動機に掛かる処理の負荷を軽減することができる。また、第２信号情報を要求することで、より多くの信号情報を用いて測位を実行することができる。その結果、移動機の位置をより高精度に測定することができる。
【００１１】
本発明の測位サーバでは、測位手段が、受信手段により受信された第１信号情報及び第２信号情報の組合せと対応する位置座標の精度が所定の閾値未満である場合に、移動機に対して追加の第２信号情報を要求することが好ましい。
【００１２】
この場合、第１信号情報及び第２信号情報と対応する位置座標の精度が所定の閾値未満である場合に、移動機に対して追加の第２信号情報が要求されるので、より多くの信号情報を用いて測位を実行することができる。その結果、移動機の位置をより高精度に測定することができる。
【００１３】
本発明の測位サーバでは、第２信号情報が必要な基地局について、該基地局を識別する基地局ＩＤを記憶する記憶手段を更に備え、受信手段が、まず第１信号情報のみを受信し、測位手段が、受信手段により受信された第１信号情報に含まれる基地局ＩＤが記憶手段に記憶されている場合に移動機に対して第２信号情報を要求し、該第１信号情報と該要求に応じて移動機から送信された第２信号情報との組合せと対応する位置座標を移動機の現在位置として決定することが好ましい。
【００１４】
この場合、第１信号情報のみでは測位の精度が確保できない場合に初めて移動機に対して第２信号情報が要求されるので、最初から移動機に対して第２信号情報を要求する場合と比較して、移動機に掛かる処理の負荷を軽減することができる。また、第２信号情報を要求することで、より多くの信号情報を用いて測位を実行することができる。その結果、移動機の位置をより高精度に測定することができる。更に、基地局ＩＤのみに基づいて第２信号情報を要求するか否かが決定されるので、移動機は他のパラメータを送信する必要がない。
【００１５】
本発明の測位サーバでは、測位手段が、他の無線信号源の種類毎に設定された優先順位が高い順に、他の無線信号源に関する第２信号情報を要求することが好ましい。
【００１６】
この場合、他の無線信号源に関する第２信号情報が優先順位に基づいて移動機に対し要求されるので、優先順位を適切に設定することで、より効率的に測位を実行することができる。
【発明の効果】
【００１７】
このような測位サーバ、測位システム及び測位方法によれば、移動体通信網だけでなくそれ以外の無線信号源（無線システム）の信号情報を用いて測位するので、移動機の位置を高精度に測定できる。
【発明を実施するための最良の形態】
【００１８】
以下、添付図面を参照しながら本発明の実施形態を詳細に説明する。以下では、説明を簡単にするために、測位用データベースの構築を第１実施形態として説明し、そのデータベースを用いた測位を第２実施形態として説明する。なお、図面の説明において同一又は同等の要素には同一の符号を付し、重複する説明を省略する。
【００１９】
（第１実施形態）
まず、図１〜４を用いて、第１実施形態に係る測位システム１の構成を説明する。図１は測位システム１の全体構成を示す図である。図２は図１に示す携帯電話機１０のハードウェア構成を示す図である。図３は図１に示す測位サーバ２０のハードウェア構成を示す図である。図４は測位用データの例を示す図である。
【００２０】
測位システム１は、携帯電話機１０及び測位サーバ２０を備えている。携帯電話機１０は、測位サーバ２０からの測位要求に基づいて自機の現在位置を測定する機能を有している。一方、測位サーバ２０は、携帯電話機１０の測位に用いる測位用データと、携帯電話機１０から受信した信号情報とを照合して携帯電話機１０の位置を測定する機能を有している。
【００２１】
携帯電話機１０は、移動体通信網Ｎを構成する基地局Ｂとの間で信号（電波）を送受信することで呼接続やデータ通信などを実行する移動機である。この携帯電話機１０は、基地局Ｂとは異なる他の無線信号源（言い換えれば、移動体通信網Ｎの外に存在する他の無線信号源）Ｓからの信号を受信することも可能である。ここで、他の無線信号源Ｓとしては、例えば、移動体通信網Ｎと同様の規格で実現された他の通信事業者の移動体通信網の基地局や、地上デジタル放送の放送波を発信するアンテナ、無線ＬＡＮの基地局などがあるが、これらに限定されるものではない。なお、移動体通信網Ｎの基地局Ｂも無線信号源の一種である。
【００２２】
なお、図１では、説明を簡単にするために携帯電話機１０、基地局Ｂ及び他の無線信号源Ｓをそれぞれ一つずつ示したが、これらは複数存在してもよい。
【００２３】
携帯電話機１０は、機能的構成要素として測位部１１、信号測定部１２及び送信部１３を備えている。
【００２４】
この携帯電話機１０は、図２に示すように、オペレーティングシステムやアプリケーションプログラムなどを実行するＣＰＵ１０１と、ＲＯＭ及びＲＡＭで構成される主記憶部１０２と、メモリなどで構成される補助記憶部１０３と、移動体通信網Ｎを介してデータ通信を行う通信制御部１０４と、液晶モニタなどで構成される表示部１０５と、入力キーなどで構成される操作部１０６とで構成される。図１に示す各機能は、ＣＰＵ１０１及び主記憶部１０２の上に所定のソフトウェアを読み込ませ、ＣＰＵ１０１の制御の下で通信制御部１０４を動作させたり、主記憶部１０２や補助記憶部１０３に対してデータを読み書きしたりすることで実現される。
【００２５】
測位部１１は、携帯電話機１０の位置を測定する部分である。測位部１１は、測位サーバ２０から測位要求を受け付けると、所定の測位手法を利用して携帯電話機１０の位置を測定する。例えば、測位部１１は、全地球測位システム（Global Positioning System（ＧＰＳ））を用いた自律測位を実行する。また、測位部１１は、携帯電話機１０からの測定情報と、基地局Ｂから受信した携帯電話機・基地局間の距離情報とに基づいて位置を算出するハイブリッド測位も実行可能である。更に、測位部１１は、基地局Ｂや他の無線信号源Ｓから受信した信号に関する信号情報を測位サーバ２０に送信し、それに応じて測位サーバ２０で算出され送信されてきた位置座標を測位結果とすることも可能である。測位部１１は、測位結果である位置情報を送信部１３に出力する。
【００２６】
信号測定部１２は、測位部１１により位置情報が算出された時刻を含む所定の時間内に基地局Ｂ又は他の無線信号源Ｓから受信した一又は複数の信号を測定及び解析する部分である。信号測定部１２は、測位サーバ２０から受信した測定要求に基づいて信号を受信する。例えば、測定要求が、基地局Ｂの信号を測定せよとの命令を表している場合には、信号測定部１２は基地局Ｂからの信号のみを測定及び解析する。また、測定要求が、無線ＬＡＮの信号を測定せよとの命令を表している場合には、信号測定部１２は無線ＬＡＮの受信機能を起動し、無線ＬＡＮの基地局からの信号のみを測定及び解析する。
【００２７】
一又は複数の基地局Ｂから信号を受信した場合には、信号測定部１２は、各信号の受信強度を測定するとともに、各信号を解析して基地局Ｂに関する基地局情報を抽出する。ここで、基地局情報には、基地局Ｂを識別する基地局ＩＤが含まれ、場合によっては、往復遅延時間（Round Trip Time（ＲＴＴ））などのオプションデータも含まれる。信号測定部１２は受信強度と基地局情報とを関連付け、第１信号情報として送信部１３に出力する。
【００２８】
一又は複数の他の無線信号源Ｓから信号を受信した場合には、信号測定部１２は、各信号の受信強度を測定するとともに、各信号を解析して無線信号源Ｓに関する信号源情報を抽出する。ここで、信号源情報には、無線信号源Ｓを識別する信号源ＩＤが含まれる。信号測定部１２は、受信強度と信号源情報とを関連付け、第２信号情報として送信部１３に出力する。
【００２９】
送信部１３は、基地局Ｂから受信した信号に関する第１信号情報及び他の無線信号源Ｓから受信した信号に関する第２信号情報の少なくとも一方を測位サーバ２０に送信する部分である。送信部１３は、測位部１１から入力された位置情報と、信号測定部１２から入力された信号情報とを測位サーバ２０に送信する。
【００３０】
次に測位サーバ２０について説明する。測位サーバ２０は、機能的構成要素として測位用データベース２１、受信部２２、要求部２３及びデータ管理部２４を備えている。
【００３１】
測位サーバ２０は、図３に示すように、オペレーティングシステムやアプリケーションプログラムなどを実行するＣＰＵ２０１と、ＲＯＭ及びＲＡＭで構成される主記憶部２０２と、ハードディスクなどで構成される補助記憶部２０３と、ネットワークカードなどの通信制御部２０４と、キーボードやマウスなどの入力部２０５と、モニタやプリンタなどの出力部２０６とで構成される。測位サーバ２０の各機能は、ＣＰＵ２０１や主記憶部２０２の上に所定のソフトウェアを読み込ませ、ＣＰＵ２０１の制御の下で通信制御部２０４を動作させ、主記憶部２０２や補助記憶部２０３におけるデータの読み出し及び書き込みを行うことで実現される。
【００３２】
測位用データベース２１は、基地局Ｂから送信された信号に関する第１信号情報と、他の無線信号源Ｓから送信された信号に関する第２信号情報と、位置座標とが関連付けられた測位用データを記憶する部分である。ここで、信号情報には、無線信号源を識別する基地局ＩＤ又は信号源ＩＤと、受信強度と、ＲＴＴなどのオプションデータとが含まれる。
【００３３】
測位用データの例を図４に示す。図４の測位用データは、システム種別、一システム内の通し番号、無線信号源を識別するＩＤ、受信強度、オプションデータ、位置座標、精度、及び更新日時が関連付けられて成るデータである。ＩＤ、受信強度、及びオプションデータは信号情報であるともいえる。システム種別が「移動体通信網」である信号情報が第１信号情報であり、システム種別が「他社の移動体通信網」、「無線ＬＡＮ」、「地上デジタル放送」又は「ラジオ」である信号情報が第２信号情報である。図４に示す例では、一つの位置座標に対して複数の信号情報が関連付けられている。
【００３４】
受信部２２は、携帯電話機１０の送信部１３から送信された信号情報を受信する部分である。また、受信部２２は、携帯電話機１０の位置を示す位置情報を取得する部分でもある。受信部２２は、受信した信号情報を要求部２３に出力するとともに、信号情報と同様に受信した位置情報をデータ管理部２４に出力する。
【００３５】
要求部２３は、携帯電話機１０に対して、測位、及び信号情報の取得を要求する部分である。要求部２３は、このために携帯電話機１０に対して測位要求及び測定要求を送信する。測定要求についていうと、要求部２３は、初回は移動体通信網Ｎの基地局Ｂからの信号に関する第１信号情報のみを取得させるための測定要求を送信する。そして、その送信に応じて携帯電話機１０から第１信号情報が送信され、受信部２２を介して要求部２３に入力されると、要求部２３は、第１信号情報の数が所定の閾値Ｍ以上であるか否かを判定する。このとき、第１信号情報の数が閾値Ｍ未満であれば、要求部２３は他の無線信号源Ｓからの信号に関する第２信号情報を取得するように追加の測定要求を送信する。
【００３６】
追加要求の手法は限定されない。例えば、要求部２３は他の無線信号源Ｓの種類を問わずに第２信号情報を要求してもよいし、他の無線信号源Ｓの種類を指定して要求してもよい。無線信号源の種類を指定する場合には、無線システムの優先順位を設定し、順位の高い順に第２信号情報を要求することが考えられる。例えば、要求部２３は、２回目の要求では他社の移動体通信網に関する信号情報を要求し、それでも信号情報の総数が閾値Ｍ未満である場合には、３回目の要求として無線ＬＡＮに関する信号情報を要求し、以下同様に、４回目では地上デジタル放送、５回目ではラジオに関する信号情報を要求してもよい。
【００３７】
要求部２３は、閾値Ｍ以上の信号情報を収集したら、それらの信号情報をデータ管理部２４に出力する。
【００３８】
データ管理部２４は、受信部２２により受信された信号情報及び位置情報との組合せと、測位用データベース２１内の測位用データとを照合し、その組合せと対応する測位用データが存在すれば、その測位用データを組合せに含まれる信号情報の内容で更新し、その組合せと対応する測位用データが存在しなければ、その組合せを測位用データとして測位用データベース２１に追加する部分である。
【００３９】
データ管理部２４は、受信部２２から入力された位置情報に一致、又は所定の誤差の範囲内で対応する位置座標を含む測位用データを測位用データベース２１から抽出する。そして、抽出できた場合には、要求部２３は、その測位用データに含まれる信号情報を、要求部２３から入力された信号情報で更新する。この処理において、それまで測位用データに含まれていなかったＩＤを含む信号情報が測位用データに追加される場合もある。一方、対応する測位用データが抽出できなかった場合には、要求部２３は、入力された信号情報及び位置情報を関連付けて測位用データベース２１に追加する。このような処理により、測位用データベース２１には最新の内容が記憶される。
【００４０】
次に、図５を用いて、図１に示す測位システム１の動作を説明するとともに本実施形態に係るデータベース管理方法について説明する。図５は、測位システム１の動作を示すシーケンス図である。
【００４１】
まず、測位サーバ２０の要求部２３が携帯電話機１０に測位要求及び測定要求を送信する（ステップＳ１１）。初回の測定要求に関して言うと、要求部２３は移動体通信網Ｎの基地局Ｂからの信号に関する第１信号情報のみを要求する。
【００４２】
携帯電話機１０では、測位部１１が測位要求に応じて測位を実行するとともに（ステップＳ１２）、信号測定部１２が測定要求に基づいて受信信号を測定する（ステップＳ１３）。そして、送信部１３が、測定結果である第１信号情報と測位結果である位置情報とを測位サーバ２０に送信する（ステップＳ１４）。
【００４３】
測位サーバ２０では、受信部が第１信号情報及び位置情報を受信する。続いて、要求部２３が、受信した信号情報の個数が閾値Ｍ以上か否かを判定する（ステップＳ１５）。このとき、信号情報の個数が閾値未満であれば（ステップＳ１５；ＮＯ）、要求部２３は追加の測定要求を携帯電話機１０に送信する（ステップＳ１６）。追加の測定要求は、他の無線信号源Ｓからの信号に関する第２信号情報を携帯電話機１０に取得させるための命令である。
【００４４】
携帯電話機１０では、信号測定部１２が測定要求に基づいて受信信号を測定し（ステップＳ１７）、送信部１３がその結果を第２信号情報として測位サーバ２０に送信する（ステップＳ１８）。このようなステップＳ１５〜Ｓ１８の処理は、得られた信号情報の数が閾値Ｍ以上になるまで、又は所定の無線システムに関する信号の測定がすべて終了するまで繰返し実行される。
【００４５】
そして、信号情報の数が閾値Ｍ以上になると（ステップＳ１５；ＹＥＳ）、データ管理部２４が、信号情報及び位置情報の組合せと測位用データベース２１内の測位用データとを照合し、その結果に基づいて測位用データを更新又は追加する（ステップＳ１９）。
【００４６】
以上説明したように、本実施形態によれば、二種類の信号情報の少なくとも一方（基地局Ｂに関する信号情報又は他の無線信号源Ｓに関する信号情報）が測位サーバ２０により受信されるとともに、携帯電話機１０の位置情報が測位サーバ２０により取得される。そして、これらの情報の組合せと測位用データベース２１内の測位用データとが照合され、その組合せに対応する測位用データが存在すれば測位用データが更新され、そのような測位用データが存在しなければ、その組合せが測位用データとしてデータベースに追加される。このように、移動体通信網Ｎだけでなくそれ以外の無線信号源Ｓ（無線システム）の信号情報を用いて測位用データを更新又は追加することで、より多くの種類又は数の測位用データを測位用データベース２１に登録できる。その結果、携帯電話機１０の位置の高精度な推定を可能にする測位用データベース２１を構築できる。
【００４７】
また、本実施形態によれば、第１信号情報のみでは信号情報の数が足りない場合に初めて携帯電話機１０に対して第２信号情報が要求されるので、最初から携帯電話機１０に対して第２信号情報を要求する場合と比較して、携帯電話機１０に掛かる処理の負荷を軽減することができる。また、基地局Ｂに関する信号情報が不足している場合に限って測位用データが更新又は追加されるので、基地局Ｂから受信する信号が少ないエリアにおける測位用データを、第２信号情報を用いて重点的に登録することができる。
【００４８】
また、本実施形態によれば、第１信号情報及び第２信号情報の総数が所定の閾値未満である場合に、携帯電話機１０に対して追加の第２信号情報が要求されるので、データの更新又は追加に利用する信号情報の数を更に増加させることができる。
【００４９】
また、本実施形態によれば、他の無線信号源Ｓに関する第２信号情報が優先順位に基づいて携帯電話機１０に対し要求されるので、優先順位を適切に設定することで、より効率的に測位用データを更新又は追加することができる。
【００５０】
（第２実施形態）
次に、図６を用いて、第２実施形態に係る測位システム２の構成を説明する。図６は測位システム２の全体構成を示す図である。なお、第１実施形態と重複する説明は省略する。
【００５１】
測位システム２は、携帯電話機３０及び測位サーバ４０を備えている。図６では、説明を簡単にするために携帯電話機３０、基地局Ｂ及び他の無線信号源Ｓをそれぞれ一つずつ示したが、これらは複数存在してもよい。
【００５２】
携帯電話機３０は、機能的構成要素として信号測定部３１、送信部（送信手段）３２、及び表示部３３を備えている。携帯電話機３０のハードウェア構成は図２に示すものと同様であり、ハードウェアにより上記機能的構成要素がどのように実現されるかという点についても、第１実施形態で説明したことと同様である。
【００５３】
信号測定部３１は、基地局Ｂ又は他の無線信号源Ｓから受信した一又は複数の信号を測定及び解析する部分である。
【００５４】
信号測定部３１は、ユーザにより入力された測位指示を受け付けると、まず、基地局Ｂから受信した信号のみを測定及び解析する。具体的には、信号測定部３１は一又は複数の基地局Ｂから受信した信号のそれぞれについて受信強度を測定するとともに、各信号を解析して基地局Ｂに関する基地局情報を抽出する。基地局情報には、基地局Ｂを識別する基地局ＩＤが含まれ、場合によっては、往復遅延時間（Round Trip Time（ＲＴＴ））などのオプションデータも含まれる。信号測定部３１は受信強度と基地局情報とを関連付け、第１信号情報として送信部３２に出力する。
【００５５】
その後、後述する測位サーバ４０から測定要求を受信した場合には、信号測定部３１はその要求に応じて他の無線信号源Ｓから受信した信号を測定及び解析する。例えば、測定要求が、無線ＬＡＮの信号を測定せよとの命令を表している場合には、信号測定部３１は無線ＬＡＮの受信機能を起動し、無線ＬＡＮの基地局からの信号のみを測定及び解析する。信号測定部３１は一又は複数の無線信号源Ｓから受信した信号のそれぞれについて受信強度を測定するとともに、各信号を解析して無線信号源Ｓに関する信号源情報を抽出する。ここで、信号源情報には、無線信号源Ｓを識別する信号源ＩＤが含まれる。信号測定部３１は、受信強度と信号源情報とを関連付け、第２信号情報として送信部３２に出力する。
【００５６】
送信部３２は、基地局Ｂから受信した信号に関する第１信号情報及び他の無線信号源Ｓから受信した信号に関する第２信号情報の少なくとも一方を測位サーバ４０に送信する部分である。送信部３２は、信号測定部３１から入力された信号情報を測位サーバ４０に送信する。
【００５７】
表示部３３は、測位サーバ４０から送信された位置座標を受信して表示する部分である。これにより、携帯電話機３０のユーザは自己の現在位置を知ることができる。
【００５８】
次に測位サーバ４０について説明する。測位サーバ４０は、機能的構成要素として測位用データベース４１、受信部（受信手段）４２及び測位部（測位手段）４３を備えている。測位サーバ４０のハードウェア構成は図２に示すものと同様であり、ハードウェアにより上記機能的構成要素がどのように実現されるかという点についても、第１実施形態で説明したことと同様である。
【００５９】
測位用データベース４１は、基地局Ｂから送信された信号に関する第１信号情報と、基地局Ｂとは異なる他の無線信号源Ｓから送信された信号に関する第２信号情報と、位置座標とが関連付けられた測位用データを記憶する部分である。測位用データベース４１が記憶するデータの構成は、図４に示すものと同様である。図４を参照して説明すると、システム種別が「移動体通信網」である信号情報が第１信号情報であり、システム種別が「他社の移動体通信網」、「無線ＬＡＮ」、「地上デジタル放送」又は「ラジオ」である信号情報が第２信号情報である。
【００６０】
受信部４２は、携帯電話機３０の送信部３２から送信された信号情報を受信する部分である。受信部４２は、受信した信号情報を測位部４３に出力する。
【００６１】
測位部４３は、受信部４２により受信された信号情報と測位用データベース４１内の測位用データとを照合し、その信号情報と対応する位置座標を携帯電話機３０の現在位置として決定する部分である。
【００６２】
ある測位処理において、測位部４３に最初に入力される情報は、基地局Ｂからの信号に関する一又は複数の第１信号情報である。測位部４３は、入力された第１信号情報と測位用データとを照合し、第１信号情報に対応する位置座標を抽出する。このとき、抽出された位置座標の精度（位置座標と関連付けられている精度）が所定の閾値Ｐ以上であれば、測位部４３はその位置座標を携帯電話機３０の現在位置として決定し、携帯電話機３０に送信する。
【００６３】
一方、入力された信号情報の数が少ないなどの理由で、抽出された位置座標の精度が閾値Ｐ未満であった場合には、測位部４３は他の無線信号源Ｓからの信号に関する第２信号情報を取得させるための測定要求を携帯電話機３０に送信する。
【００６４】
測定要求の手法は限定されない。例えば、測位部４３は他の無線信号源Ｓの種類を問わずに第２信号情報を要求してもよいし、他の無線信号源Ｓの種類を指定して要求してもよい。無線信号源の種類を指定する場合には、無線システムの優先順位を設定し、順位の高い順に第２信号情報を要求することが考えられる。例えば、測位部４３は、最初の要求では他社の移動体通信網に関する第２信号情報を要求し、それでも測定の精度が閾値Ｐ未満である場合には、無線ＬＡＮに関する第２信号情報を要求し、以下同様に、地上デジタル放送及びラジオに関する信号情報を順に要求してもよい。
【００６５】
測定要求に応じて携帯電話機３０から第２信号情報が受信されると、測位部４３は、既に取得済みの第１信号情報及び今回取得した第２信号情報の組合せに対応する位置座標を測位用データベース４１から抽出する。そして、測位部４３は抽出した位置座標の精度が閾値Ｐ以上であるか否かを判定する。そして、この判定結果に応じて測位部４３は、携帯電話機３０の現在位置として決定された位置座標、又は更なる測定要求を携帯電話機３０に送信する。
【００６６】
次に、図７を用いて、図６に示す測位システム２の動作を説明するとともに本実施形態に係る測位方法について説明する。図７は、測位システム２の動作を示すシーケンス図である。
【００６７】
前提として、測位サーバ４０の測位用データベース４１には、図４に示すような測位用データが記憶されている（記憶ステップ）。この測位用データは、測位システム２の管理者により登録されてもよいし、上記第１実施形態で示したように動的に更新又は追加されてもよい。
【００６８】
まず、携帯電話機３０の信号測定部３１が、ユーザの測位指示に基づいて、基地局Ｂから受信した信号を測定及び解析し、第１信号情報を生成する（ステップＳ３１）。続いて、送信部３２がその第１信号情報を測位サーバ４０に送信する（ステップＳ３２）。
【００６９】
測位サーバ４０では、受信部４２が第１信号情報を受信する（受信ステップ）。続いて、測位部４３がその第１信号情報と測位用データとを照合し、その情報に対応する位置座標を抽出する（ステップＳ３３、測位ステップ）。続いて、測位部４３はその位置座標の精度が閾値Ｐ以上であるか否かを判定する（ステップＳ３４）。このとき、位置座標の精度が閾値Ｐ未満であれば（ステップＳ３４；ＮＯ）、測位部４３は第２信号情報を取得するために測定要求を携帯電話機３０に送信する（ステップＳ３５）。
【００７０】
携帯電話機３０では、信号測定部３１が、測定要求の内容に従って受信した他の無線信号源Ｓの信号を測定及び解析し、第２信号情報を生成する（ステップＳ３６）。続いて、送信部３２がその第２信号情報を測位サーバ４０に送信する（ステップＳ３７）。
【００７１】
測位サーバ４０では、受信部４２が第２信号情報を受信する（受信ステップ）。続いて、測位部４３が、取得済みの第１信号情報及び今回受信した第２信号情報の組合せと測位用データとを照合し、その組合せに対応する位置座標を抽出する（ステップＳ３８、測位ステップ）。このような上記ステップＳ３４〜Ｓ３８の処理は、抽出される位置座標の精度が閾値Ｐ以上になるか、又は測位部４３が測位処理を所定のタイミングで終了するまで、繰返し実行される。
【００７２】
以上に対して、抽出された位置座標の精度が閾値Ｐ以上であれば（ステップＳ３４；ＹＥＳ）、測位部４３はその位置座標を携帯電話機３０に送信する（ステップＳ３９）。そして、携帯電話機３０の表示部３３がその位置座標を現在位置として表示する（ステップＳ４０）。なお、測位部４３は、閾値Ｐ以上の精度が得られない場合でも、所定のタイミングで測位処理を終了して、その時点で得られている位置座標を携帯電話機３０に送信してもよい。
【００７３】
以上説明したように、本実施形態によれば、二種類の信号情報と位置座標とが関連付けられた測位用データが予め測位用データベース４１に記憶されている。そして、二種類の信号情報の少なくとも一方が携帯電話機３０から受信され、その信号情報と測位用データとの照合により、携帯電話機３０の現在位置が決定される。このように、移動体通信網Ｎだけでなくそれ以外の無線信号源Ｓ（無線システム）の信号情報を用いて測位することで、携帯電話機３０の位置を高精度に測定することができる。
【００７４】
また、本実施形態によれば、第１信号情報のみでは測位の精度が確保できない場合に初めて携帯電話機３０に対して第２信号情報が要求されるので、最初から携帯電話機３０に対して第２信号情報を要求する場合と比較して、携帯電話機３０に掛かる処理の負荷を軽減することができる。また、第２信号情報を要求することで、より多くの信号情報を用いて測位を実行することができる。その結果、携帯電話機３０の位置をより高精度に測定することができる。
【００７５】
また、本実施形態によれば、第１信号情報及び第２信号情報と対応する位置座標の精度が所定の閾値未満である場合に、携帯電話機３０に対して追加の第２信号情報が要求されるので、より多くの信号情報を用いて測位を実行することができる。その結果、携帯電話機３０の位置をより高精度に測定することができる。
【００７６】
また、本実施形態によれば、他の無線信号源Ｓに関する第２信号情報が優先順位に基づいて携帯電話機３０に対し要求されるので、優先順位を適切に設定することで、より効率的に測位を実行することができる。
【００７７】
以上、本発明をその実施形態に基づいて詳細に説明した。しかし、本発明は上記実施形態に限定されるものではない。本発明は、その要旨を逸脱しない範囲で以下のような様々な変形が可能である。
【００７８】
上記第１実施形態では、測位サーバは携帯電話機から受信した位置情報を用いたが、測位サーバはハイブリッド測位などの手法により自機内で算出した位置情報や、他の測位サーバ（図示せず）から受信した位置情報を用いてもよい。
【００７９】
上記各実施形態では、携帯電話機がまず基地局に関する信号情報を送信し、その後、測位サーバの測定要求に基づいて他の無線信号源に関する信号情報を送信したが、信号情報を送信する手法はこれに限定されない。例えば、携帯電話機は最初から基地局に関する信号情報と他の無線信号源に関する信号情報とを取得し、これらの信号情報を一度に測位サーバに送信してもよい。この場合、測位サーバ側では一回の処理でデータベースの更新や測位を実行することができる。
【００８０】
また、測位サーバは、受信した信号情報に含まれる基地局ＩＤに基づいて他の無線信号源に関する信号情報を要求するか否かを決定してもよい。具体的には、測位サーバは、他の無線信号源に関する信号情報が必要な基地局ＩＤを予めデータベースなどに記憶しておく。そして、上記各実施形態と同様に、基地局に関する信号情報を携帯電話機から受信したときに、その信号情報に含まれる基地局ＩＤがそのデータベースに記憶されているか否かを判定する。このとき、そのような基地局ＩＤがデータベースに存在すれば、測位サーバは他の無線信号源に関する第２信号情報を要求し、そうでなければ、測位サーバは更なる測定を要求しない。
【００８１】
このような処理は、上記第１実施形態における要求部２３や上記第２実施形態における測位部４３により実行させることが可能である。このように処理をすれば、基地局ＩＤのみに基づいて第２信号情報を要求するか否かが決定されるので、携帯電話機は他のパラメータを送信する必要がない。
【００８２】
上記各実施形態では、測位用データベースが第１信号情報、第２信号情報及び位置情報が関連付けられた測位用データを記憶したが、測位用データベースの構成はこれに限定されない。例えば、システム種別（図４参照）毎にデータベースを用意してもよい。この場合には、測位サーバの測定部は各データベースに対して個別に測位処理を実行し、得られた位置座標のうち最も精度が高いものや各位置座標の平均（相加平均又は重み付け平均）を測定結果としてもよい。
【００８３】
本発明は、上述した測位サーバ２０及び測位サーバ４０の機能を統合した一台のサーバにより実施することも可能である。また、上述した携帯電話機１０及び携帯電話機３０の機能を統合した一台の携帯電話機により本発明を実施することもできる。
【００８４】
上記各実施形態では、移動機として携帯電話機を例示したが、携帯情報端末（PersonalDigital Assistant（ＰＤＡ））などの他の移動機を用いてもよい。
【図面の簡単な説明】
【００８５】
【図１】第１実施形態に係る測位システムの全体構成を示す図である。
【図２】図１に示す携帯電話機のハードウェア構成を示す図である。
【図３】図１に示す測位サーバのハードウェア構成を示す図である。
【図４】測位用データの例を示す図である。
【図５】図１に示す測位システムの動作を示すシーケンス図である。
【図６】第２実施形態に係る測位システムの全体構成を示す図である。
【図７】図６に示す測位システムの動作を示すシーケンス図である。
【符号の説明】
【００８６】
１，２…測位システム、１０，３０…携帯電話機（移動機）、１１…測位部、１２…信号測定部、１３…送信部、２０，４０…測位サーバ、２１…測位用データベース、２２…受信部、２３…要求部、２４…データ管理部、３１…信号測定部、３２…送信部（送信手段）、３３…表示部、４１…測位用データベース、４２…受信部（受信手段）、４３…測位部（測位手段）、Ｂ…基地局、Ｎ…移動体通信網、Ｓ…他の無線信号源。
【図１】
2010127850.tif 000003
【図２】
2010127850.tif 000004
【図３】
2010127850.tif 000005
【図４】
2010127850.tif 000006
【図５】
2010127850.tif 000007
【図６】
2010127850.tif 000008
【図７】
2010127850.tif 000009